(57)【要約】【課題】着脱が容易な耳孔に挿入可能な補聴器の提供を課題とする。【解決手段】マイクロフォン等の電子回路および電池が組み込まれた本体ケース１１と、スピーカ孔１２を備えた外耳道挿入部であるイヤキャップ１３と、電池を覆う蓋部１４とを備えている。本体ケース１１および蓋部１４のうち少なくとも一方に紐２０を連結可能な連結部１５が設けられている。この補聴器１は、使用者が耳孔に挿入した状態で、紐２０を引っ張ることにより簡単に取り外すことができる。また、補聴器１を装着していることを忘れにくくなると共に、紛失したり、不意に落としたりしにくくなる。【選択図】図１
2007124022.tif 000002
【特許請求の範囲】
【請求項１】
マイクロフォン等の電子回路および電池が組み込まれた本体ケースと、
スピーカ孔を備えた外耳道挿入部と、
前記電池を覆う蓋部とを有し、
前記本体ケースおよび前記蓋部のうち少なくとも一方に、紐を連結可能な連結部が設けられていることを特徴とする補聴器。
【発明の詳細な説明】
【技術分野】
【０００１】
本発明は、補聴器に関する。
【背景技術】
【０００２】
従来より、難聴者は、外観性を考慮して、耳孔に挿入可能な補聴器を選択することが多い。
【０００３】
このような補聴器は、マイクロフォン等の電子回路や電池が組み込まれた本体ケースと、スピーカ孔を備えた外耳道挿入部と、電池を覆う蓋部とを有し、全体的に耳孔内に挿入可能な形状・寸法に形成されている（例えば、特許文献１参照）。
【特許文献１】特開２００１−２３８２９６公報
【発明の開示】
【発明が解決しようとする課題】
【０００４】
ところで、近年では、軽度の難聴者にも補聴器の使用が広がりつつある。このような軽度の難聴者は、補聴器を終日使用する必要性が低いが、上記のように耳孔に挿入可能な補聴器が広く支持されている。
【０００５】
軽度の難聴者は、上記のように終日使用する必要性が低いので、耳孔に挿入可能な補聴器を使用した場合、着脱する頻度が高くなる。
【０００６】
しかしながら、従来の耳孔に挿入可能な補聴器は、着脱が比較的面倒であるという問題があった。
【０００７】
本発明は、上記技術的課題を解決するためになされたもので、着脱が容易な耳孔に挿入可能な補聴器の提供を課題とする。
【課題を解決するための手段】
【０００８】
本発明は、マイクロフォン等の電子回路および電池が組み込まれた本体ケースと、スピーカ孔を備えた外耳道挿入部と、前記電池を覆う蓋部とを有し、前記本体ケースおよび前記蓋部のうち少なくとも一方に、紐を連結可能な連結部が設けられていることを特徴とする。
【０００９】
本発明では、使用者が補聴器を耳孔に挿入した状態で、連結部に連結した紐を引くことにより、補聴器を簡単に取り外すことができる。
【００１０】
また、使用者が補聴器を耳孔に挿入した状態では、紐が耳付近から垂れ下がるので、使用者が補聴器を装着していることを忘れにくくなる。更に、補聴器を外した状態では、補聴器に紐が付いているので、紛失したり、不意に落としたりしにくくなる。
【発明の効果】
【００１１】
本発明によれば、補聴器を容易に脱着できると共に、補聴器を装着していることを忘れにくくなり、更に補聴器を外したときに補聴器を紛失したり、不意に落としたりしにくくなる。
【発明を実施するための最良の形態】
【００１２】
以下、本発明に係る補聴器の実施形態について、図面を参照して説明する。
【００１３】
（第１実施形態）
図１（ａ）は、本発明に係る第１実施形態の補聴器１を示す正面図、図１（ｂ）は左側面図、図１（ｃ）は右側面図、図１（ｄ）は下面図である。
【００１４】
この補聴器１は、マイクロフォン等の電子回路および電池（何れも図示せず）が組み込まれた本体ケース１１と、この本体ケース１１のスピーカ孔１２から鼓膜に向かって突出する外耳道挿入部であるイヤキャップ１３と、電池を覆う蓋部１４とを備えている。
【００１５】
また、この補聴器１は、本体ケース１１および蓋部１４のうち少なくとも一方に紐２０を連結可能な連結部１５が設けられている。本実施形態では、蓋部１４に連結部１５が設けられている。
【００１６】
蓋部１４は、ヒンジ軸１６によって、本体ケース１１に開閉自在に取り付けられている。また、蓋部１４のヒンジ軸１６側には、スイッチ兼ボリューム１７が設けられている。
【００１７】
更に、蓋部１４におけるスイッチ兼ボリューム１７の近傍には、マイクロフォン用孔１８が設けられている。
【００１８】
蓋部１４におけるヒンジ軸１６の反対側（下部側）には、突出部１９が設けられている。この突出部１９は、縦長の蓋部１４の長手方向Ｙに沿って延びると共に、蓋部１４の長手方向Ｙと直交する短辺方向Ｘに比較的狭い幅を有している。
【００１９】
上記連結部１５は、突出部１９を蓋部１４の短辺方向Ｘに貫通する孔状に形成されている。補聴器１を使用者の耳孔に装着した状態では、連結部１５が略水平に配置される。
【００２０】
上記ケース本体１１、蓋部１４は、それぞれＡＢＳ樹脂などによって形成されている。
【００２１】
図２（ａ）〜（ｄ）は、補聴器１の蓋部１４における連結部１５に、紐２０を取り付けた状態を示す。
【００２２】
紐２０の材質は、例えばナイロンなどの樹脂製が好ましい。また、紐２０の太さは１ｍｍ程度が好ましい。
【００２３】
この紐２０は、その一端側２０ａが連結部１５に通されている。そして、連結部１５を通り抜けた一端側２０ａが、紐２０の基部側２０ｂと纏められて金具２１などによって固定されている。
【００２４】
このように、本発明の補聴器１は、蓋部１４の連結部１５に紐２０が取り付けられているので、補聴器１を使用者の耳孔に挿入して装着したときに、紐２０を引っ張ることによって、簡単に取り外すことができる。
【００２５】
また、使用者が補聴器１を装着しているときには、補聴器１に取り付けられた紐２０が、使用者の耳付近から垂れ下がっているので、補聴器１を装着していることを忘れにくくなる。
【００２６】
更に、補聴器１に紐２０が付いているので、紐２０がない場合に比べて紛失するおそれが少なくなるとともに、不意に落として壊したりしない。
【００２７】
なお、紐２０は蓋部１４から簡単に着脱できるので、紐２０を必要なときのみ取り付けて、それ以外のときは外しておくことができる。
【００２８】
また、上記の実施形態では、紐２０を蓋部１４に取り付けたが、紐２０はケース本体１１に取り付けることもできる。この場合は、突出部１９および連結部１５をケース本体１１に設ければよい。
【００２９】
（第２実施形態）
図３（ａ）は本発明に係る第２実施形態の補聴器３０を示す正面図、図３（ｂ）は左側面図、図３（ｃ）は右側面図である。なお、以下の説明では、図１および図２と同様の部分には同一の符号を付けて詳細な説明を省略する。
【００３０】
この補聴器３０の蓋部１４には、蓋部１４の長手方向Ｙに略直交する短辺方向Ｘに延びる突出部３２が設けられている。
【００３１】
突出部３２には、蓋部１４の長手方向Ｙに沿って延びる孔状の連結部３１が設けられている。そして、連結部３１に紐２０が取り付けられている。
【００３２】
この補聴器３０も、紐２０を引っ張ることによって使用者の耳孔から簡単に取り外すことができる。また、装着していることを忘れにくくなると共に、紛失したり、不意に落としたりしにくくなる。
【００３３】
（第３実施形態）
図４（ａ）は本発明に係る第３実施形態の補聴器４０を示す正面図、図４（ｂ）は左側面図、図４（ｃ）は右側面図、図４（ｄ）は下面図である。
【００３４】
この補聴器４０は、第１実施形態の補聴器１の連結部１５にリング４１が設けられ、このリング４１に紐２０が取り付けられている。
【００３５】
なお、上記リング４１に代えて、図５に示すように、止め輪４２を使用することもできる。
止め輪４２は、切り欠き４２ａが設けられたパイプ状のＣ字リング４２ｂと、このＣリング４２ｂ内にスライド自在に挿入された湾曲形状のスライド片４２ｃと、このスライド片４２ｃをスライドさせて切り欠き４２ａを開閉する操作片４２ｄとを有している。
【００３６】
スライド片４２ｃは、切り欠き４２ａを閉じる方向に弾発に付勢されている。なお、図５中の符号４２ｅは、紐２０を取り付ける取付輪である。
【００３７】
この止め輪４２は、Ｃリング４２ａを蓋部１４の連結部１５に通すことによって取り付けることができる。
【００３８】
（第４実施形態）
図６（ａ）は本発明に係る第４実施形態の補聴器を示す正面図、図６（ｂ）は左側面図、図６（ｃ）は右側面図、図６（ｄ）は下面図である。
【００３９】
この補聴器５０は、ケース本体１１の側部に突出片５１が設けられている。そして、この突出片５１に孔状の連結部５２が設けられている。
【００４０】
この補聴器５０は、本体ケース１１における蓋部１４の近傍に連結部５２が設けられ、この連結部５２に紐２０が取り付けられるので、紐２０を引いたときに蓋部１４には何ら力が作用しないので、蓋部１４が不用意に開くのを防止できる。
【００４１】
（第５実施形態）
図７（ａ）は本発明に係る第５実施形態の補聴器を示す正面図、図７（ｂ）は左側面図、図７（ｃ）は右側面図、図７（ｄ）は下面図である。
【００４２】
この補聴器６０は、蓋部１４におけるヒンジ軸１６に比較的近い部分に、孔状の連結部６１が設けられている。この連結部６１は、蓋部１４の表面に凸部６２が設けられ、この凸部６２を貫通させて設けられている。
【００４３】
この補聴器６０によれば、連結部６１がヒンジ軸１６の近傍に設けられているので、連結部６１に取り付けられた紐２０を引っ張った際に、ヒンジ軸１６に作用する曲げモーメントが小さくなる。
従って、紐２０の引っ張り力で、蓋部１４が不用意に開くのを抑制できる。
【００４４】
（第６実施形態）
図８（ａ）は本発明に係る第６実施形態の補聴器を示す正面図、図８（ｂ）は右側面図、図８（ｃ）は左側面図、図８（ｄ）は下面図である。
【００４５】
この補聴器７０は、第１実施形態の補聴器１と略同様である。但し、この補聴器７０には、マイクロフォン用孔１８の周囲における略下半分で、マイクロフォン用孔１８と連結部１５との間に、防音用の壁７１が設けられている。この壁７１は、図９に示すように、湾曲状に形成され、適宜な高さｈを有している。
【００４６】
この補聴器７０によれば、マイクロフォン用孔１８と連結部１５との間に、壁７１が設けられているので、連結部１５に取り付けられた紐２０が補聴器７０などと擦れて発生する音が、マイクロフォン用孔１８から拾われるのを抑制できる。なお、壁７１は円筒状にすることができる。
【００４７】
（第７実施形態）
図１０は、本発明に係る第７実施形態の連結部を示す断面図である。この連結部８０は、蓋部１４又はケース本体１１に設けられた段付きの凹部８１と、この凹部８１に嵌合される嵌合部８２とを有している。
【００４８】
上記嵌合部８２には、突出部８２ａ，突出部８２ａから側方に突出するロック部８２ｂが設けられている。また、嵌合部８２における突出部８２ａの反対側には、紐２０を取り付ける取付部８２ｃが設けられている。
【００４９】
（第８実施形態）
図１１は、本発明に係る第８実施形態の連結部９０を示す断面図である。この連結部９０は、蓋部１４又はケース本体１１に設けられた第１ファスナ片９０ａと、この第１ファスナ片９０ａに着脱自在に接着される第２ファスナ片９０ｂとを有している。
【００５０】
第１ファスナ片９０ａと第２ファスナ片９０ｂとによって、面状ファスナが形成されている。第２ファスナ片９０ｂには、紐２０を取り付ける取付部９１が設けられている。
【００５１】
この連結部９０によれば、第２ファスナ片９０ｂを第１ファスナ片９０ａに押し付けるだけで、紐２０を蓋部１４又はケース本体１１に簡単に脱着できる。
【００５２】
（第９実施形態）
図１２（ａ）は、本発明に係る第９実施形態の連結部１００を示す断面図である。この連結部１００は、蓋部１４又はケース本体１１に設けられた突出部１０１の根本部分に、略直線状の孔として形成されている。
【００５３】
なお、連結部１００は、図１２（ｂ）に示すように、蓋部１４又はケース本体１１側に凸となるように湾曲させることができる。この場合には、紐２０が、連結部１００の端縁で不用意に切断されるのを抑制できる。
【００５４】
（第１０実施形態）
図１３は、本発明に係る第１０実施形態の連結部１１０を示す断面図である。この連結部１１０は、紐２０の端部に結び目１１１が設けられ、この結び目１１１が蓋部１４又はケース本体１１内にインサート形成されている。
【００５５】
（第１１実施形態）
図１４（ａ）は補聴器１２０を示す正面図、図１４（ｂ）は左側面図、図１４（ｃ）は右側面図、図１５は連結部１３０を示す断面図である。
連結部１３０は、蓋１４に連通孔１２２が設けられていて、両端部を加締具１２３により束ねた紐１２１を挿通させることにより形成されている。加締具１２３は、蓋１４に設けられた隆起部１２４の裏側に収容され、電池等に干渉することはない。
紐１２１は、蓋１４を閉鎖した状態では加締具１２３がストッパとなって脱落することがなく、蓋１４を開放することにより蓋１４の裏側に向けて取り外せる。
【図面の簡単な説明】
【００５６】
【図１】（ａ）は本発明に係る第１実施形態の補聴器を示す正面図、（ｂ）は左側面図、（ｃ）は右側面図、（ｄ）は下面図である。
【図２】（ａ）は本発明に係る第１実施形態の補聴器における作用を示す正面図、（ｂ）は左側面図、（ｃ）は右側面図、（ｄ）は下面図である。
【図３】（ａ）は本発明に係る第２実施形態の補聴器を示す正面図、（ｂ）は左側面図、（ｃ）は右側面図である。
【図４】（ａ）は本発明に係る第３実施形態の補聴器を示す正面図、（ｂ）は左側面図、（ｃ）は右側面図、（ｄ）は下面図である。
【図５】本発明に係る第３実施形態の止め輪を示す斜視図である。
【図６】（ａ）は本発明に係る第４実施形態の補聴器を示す正面図、（ｂ）は左側面図、（ｃ）は右側面図、（ｄ）は下面図である。
【図７】（ａ）は本発明に係る第５実施形態の補聴器を示す正面図、（ｂ）は左側面図、（ｃ）は右側面図、（ｄ）は下面図である。
【図８】（ａ）は本発明に係る第６実施形態の補聴器を示す正面図、（ｂ）は左側面図、（ｃ）は右側面図、（ｄ）は下面図である。
【図９】本発明に係る第７実施形態の補聴器におけるマイクロフォン用孔の周囲に設けられた壁を示す斜視図である。
【図１０】本発明に係る第７実施形態の連結部を示す断面図である。
【図１１】本発明に係る第８実施形態の連結部を示す断面図である。
【図１２】本発明に係る第９実施形態の連結部を示す断面図である。
【図１３】本発明に係る第１０実施形態の連結部を示す断面図である。
【図１４】（ａ）は本発明に係る第１１実施形態の補聴器を示す正面図、（ｂ）は左側面図、（ｃ）は右側面図、（ｄ）は下面図である。
【図１５】本発明に係る第１１実施形態の連結部を示す断面図である。
【符号の説明】
【００５７】
１  補聴器
１１  ケース本体
１２  スピーカ孔
１３  イヤキャップ
１４  蓋部
１５  連結部
１６  ヒンジ軸
１７  スイッチ兼ボリューム
１８  マイクロフォン用孔
１９  突出部
２０  紐
２０ａ  一端側
２０ｂ  基部側
２１  金具
３０  補聴器
３１  連結部
３２  突出部
４０  補聴器
４１  リング
４２  止め輪
４２ａ  切り欠き
４２ｂ  Ｃ字リング
４２ｃ  スライド片
４２ｄ  操作片
４２ｅ  取付輪
５０  補聴器
５１  突出片
５２  連結部
６０  補聴器
６１  連結部
６２  凸部
７０  補聴器
７１  壁
８０  連結部
８１  凹部
８２  嵌合部
８２ａ  取付部
９０  連結部
９０ａ  第１ファスナ片
９０ｂ  第２ファスナ片
９１  取付部
１００  連結部
１０１  突出部
１１０  連結部
１１１  結び目
【図１】
2007124022.tif 000003
【図２】
2007124022.tif 000004
【図３】
2007124022.tif 000005
【図４】
2007124022.tif 000006
【図５】
2007124022.tif 000007
【図６】
2007124022.tif 000008
【図７】
2007124022.tif 000009
【図８】
2007124022.tif 000010
【図９】
2007124022.tif 000011
【図１０】
2007124022.tif 000012
【図１１】
2007124022.tif 000013
【図１２】
2007124022.tif 000014
【図１３】
2007124022.tif 000015
【図１４】
2007124022.tif 000016
【図１５】
2007124022.tif 000017